(57)【要約】【課題】基板の形状に制約がなく可撓性を利用した組み付けの自由度が高く、しかも組み付け工数を簡素化できる遊技機用発光装置を提供する。【解決手段】電子部品が実装される複数の部品実装部１８Ａ，１８Ｂと、該部品実装部１８Ａ，１８Ｂに給電する配線パターン２０が集約された基板端子部２１と、これらを連結し電子部品と電気的に接続する配線パターン２０が形成された連結部２２が単一のフレキシブル基板１８によって一体に形成され、少なくともいずれか一の部品実装部には発光素子１９が実装され、連結部２２で任意の角度に折り曲げて組み付けられる。【選択図】図２
2009183321.tif 000002
【特許請求の範囲】
【請求項１】
遊技機に組み付けられる遊技機用発光装置であって、
電子部品が実装される複数の部品実装部と、
前記部品実装部に給電する配線パターンが集約された基板端子部と、
前記部品実装部どうし若しくは部品実装部と基板端子部を連結し、電子部品と電気的に接続する配線パターンが形成された連結部とが単一のフレキシブル基板によって一体に形成されており、
少なくともいずれか一の部品実装部には発光素子が実装され、前記連結部で任意の角度に折り曲げて組み付けられる遊技機用発光装置。
【請求項２】
前記連結部は前記部品実装部より幅狭となる基板くびれ部であり、該基板くびれ部を境界にして部品実装部を任意の角度に折り曲げて組み付けられる請求項１記載の遊技機用発光装置。
【請求項３】
前記フレキシブル基板が連結部にて折り曲げられた当該折曲げ形状を保持する保持部材を備え、該保持部材を部品実装部に重ね合わせて発光ユニットが形成されている請求項１記載の遊技機用発光装置。
【請求項４】
前記発光ユニットは、部品実装部どうしが連結部を境界にして発光素子実装面を外向きにして二つ折りして絶縁部材を介して重ね合わされ、各基板発光部を保持部材により挟みこんで互いに係止することにより折り曲げ形状が保持されている請求項３記載の遊技機用発光装置。
【請求項５】
請求項１乃至請求項４記載のいずれか１項の遊技機用発光装置が、遊技盤若しくは該遊技盤を透視する窓部の周囲に設けられる装飾部の一部として前面枠に組み付けられている遊技機。
【発明の詳細な説明】
【技術分野】
【０００１】
本発明は、遊技機用発光装置及びこれを備えた遊技機に関する。
【背景技術】
【０００２】
パチンコ機などの遊技機には、外枠に対して開閉可能に設けられた内枠に遊技盤が着脱可能に組み付けられている。内枠には前面枠が開閉可能に設けられている。
【０００３】
前面枠の中央部には窓部が形成され、該窓部には透明板（ガラス板、透明樹脂板など）が設けられている。また窓部の周囲には、前面枠を発光するための発光手段を備えた枠装飾部が設けられている。また、遊技盤において、図柄表示装置の周囲のセンター枠や釘が設けられていないスペースにはサイドランプなどの遊技盤装飾部が設けられている。
これらの装飾部は、遊技機の遊技状態に伴って発光状態が変化し視覚的な演出効果を高め、遊技者のみならず、周囲の遊技者や遊技台を選定している者などが興味を引くようになっている。
【０００４】
装飾部の一例について説明すると、複数の発光素子が配置された可撓性を有する回路基板本体を対向する一対の対辺を曲げて当該対向辺を保持部材にビス止めして保持させ、回路基板側接合部と保持部材側接合部にて電気的に接合させて保持部材側に設けられたコネクタより給電するようになっている。これにより湾曲した複数の発光素子から放射状に発光させて遊技機正面の遊技者のみならず周辺にいる者に対しても発光素子の光を視認させるようにしている（特許文献１参照）。
【０００５】
或いは、曲面形状のレンズ部を有する環状枠に沿って、可撓性を有する光源回路基板を配置して、レンズ部の曲面形状に沿って一定間隔を保って配置された発光素子からレンズ部に均一に照射する電飾装置が提案されている（特許文献２参照）。
【特許文献１】特開２００４−２９０２９５号公報
【特許文献２】特開２００１−２５９１２５号公報
【発明の開示】
【発明が解決しようとする課題】
【０００６】
しかしながら、上述した特許文献１の装飾部は基板実装された複数の発光素子の光軸を拡散させて周囲に視認させる構成である。回路基板が対向する対向辺を有し該対向辺どうしが対向した形態のみで回路基板を湾曲配置する構成であるため、装飾部に用いられる回路基板の形状が限られる。また、対向辺近傍に設けられた回路基板側接合部と保持部材に設けられた保持部材側接合部にて電気的に接合させて給電するようになっている。よって、湾曲した回路基板の回路基板側接合部と保持部材接合部との接合信頼性を確保するためのビス止めなど組み付け工程が煩雑になってしまうという課題がある。
【０００７】
また、特許文献２の電飾装置においても、曲面形状のレンズ部を有する環状枠に沿って、可撓製を有する光源回路基板を配置しており、光源回路基板の撓みを利用したレンズの曲面形状にならった配置構成を採用しているのみであり、装飾部として回路基板の形状は限定される。また、ＬＥＤチップをガラスエポキシ基板に実装して透光性樹脂によってモールドされたものが用いられるため、基板の厚みがあり剛性も高く狭いスペースに任意の形状に変形させて組み付けることはできない。
【０００８】
本発明の目的は、基板の形状に制約がなく可撓性を利用した組み付けの自由度が高く、しかも組み付け工数を簡素化できる遊技機用発光装置及びこれを用いた遊技機を提供することにある。
【課題を解決するための手段】
【０００９】
本発明は上記目的を達成するため、次の構成を備える。
遊技機に組み付けられる遊技機用発光装置であって、電子部品が実装される複数の部品実装部と、前記部品実装部に給電する配線パターンが集約された基板端子部と、前記部品実装部どうし若しくは部品実装部と基板端子部を連結し、電子部品と電気的に接続する配線パターンが形成された連結部とが単一のフレキシブル基板によって一体に形成されており、少なくともいずれか一の部品実装部には発光素子が実装され、前記連結部で任意の角度に折り曲げて組み付けられることを特徴とする。
【００１０】
また、前記連結部は前記部品実装部より幅狭となる基板くびれ部であり、該基板くびれ部を境界にして部品実装部を任意の角度に折り曲げて組み付けられることを特徴とする。
【００１１】
また、前記フレキシブル基板が連結部にて折り曲げられた当該折曲げ形状を保持する保持部材を備え、該保持部材を部品実装部に重ね合わせて発光ユニットが形成されていることを特徴とする。
或いは、前記発光ユニットは、部品実装部どうしが連結部を境界にして発光素子実装面を外向きにして二つ折りして絶縁部材を介して重ね合わされ、各基板発光部を保持部材により挟みこんで互いに係止することにより折り曲げ形状が保持されていることを特徴とする。
【００１２】
また、遊技機においては、上述した遊技機用発光装置が、遊技盤若しくは該遊技盤を透視する窓部の周囲に設けられる装飾部の一部として前面枠に組み付けられていることを特徴とする。
【発明の効果】
【００１３】
上述した遊技機用発光装置を用いれば、電子部品が実装される複数の部品実装部と、前記部品実装部に給電する配線パターンが集約された基板端子部と、前記部品実装部どうし若しくは部品実装部と基板端子部を連結し、電子部品と電気的に接続する配線パターンが形成された連結部とが単一のフレキシブル基板によって一体に形成されており、少なくともいずれか一の部品実装部には発光素子が実装され、連結部で任意の角度に折り曲げて組み付けられるので、発光素子の光軸を任意の方向に向けて遊技機に設置することができ、しかも発光素子以外の電子部品を実装する部品実装部を連結部で折り曲げ配置することで発光素子実装部の設置スペースを減らすことができる。また、発光素子以外の電子部品を実装する部品実装部を遊技者から視認し難い位置に配置することが可能となる。
また、部品実装部や基板端子部が連結部を境界にして任意の角度に折り曲げて組み付けることができるので組み付け性が良く、しかも基板形状に制約がないので汎用性を向上できる。また、部品実装部には電子部品や配線パターンは存在するがコネクタは存在せず、配線パターンが集約された基板端子部も一体に形成されるので、部品点数は少なく、基板の薄型化を図ることができる。
更には、フレキシブル基板は連結部で複数回折り曲げて使用しても電気的接続信頼性を維持できるので、発光装置を着脱して再利用することも可能であり、汎用性が高く、製造コスト低減に寄与することもできる。
【００１４】
また、前記連結部は前記部品実装部より幅狭となる基板くびれ部であり、該基板くびれ部を境界にして部品実装部を任意の角度に折り曲げて組み付けられるので、基板設置面に対する自由度が高く、組み付け性を向上できる。また、基板くびれ部により折り曲げ位置が明確になるとともに、折り曲げる範囲が限られるので薄型の基板のゆがみが少なく折り曲げることができる。
【００１５】
また、フレキシブル基板が連結部にて折り曲げられた当該折曲げ形状を保持する保持部材を備え、該保持部材を部品実装部に重ね合わせて発光ユニットが形成されていると、折り曲げ形状に合った保持部材を用いることで部品実装部の折り曲げ形状を保つことができ、組み付け性が向上する。
【００１６】
また、発光ユニットは、部品実装部どうしが連結部を境界にして発光素子実装面を外向きにして二つ折りして絶縁部材を介して重ね合わされ、各基板発光部を保持部材により挟みこんで互いに係止することにより折り曲げ形状が保持されていると、部品実装部の折り曲げ状態を保持して組み付けが行えるので、取り扱い性、作業性がよい。また、省スペースで発光面が基板両面に形成でき、発光素子を含む電子部品が片面実装されたフレキシブル基板を用いて発光装置が製造できるので、基板製造工程を簡略化することができる。
【００１７】
上述した遊技機用発光装置が、遊技盤若しくは該遊技盤を透視する窓部の周囲に設けられる装飾部の一部として前面枠に組み付けられていると、様々な箇所に任意の光軸方向に向けて設置して、装飾性や演出効果を高めることができる。また、複数の部品実装部のそれぞれに発光素子が実装されている場合、連結部にて折り曲げると各々の発光素子の光軸に傾きを持たせることができるので、複数基板を設ける必要がない。よって、遊技機に用いる部品点数を削減し、組み付け工程を簡略化して製造コストを低減することができる。
【発明を実施するための最良の形態】
【００１８】
以下、本発明の実施形態について図面を参照しながら具体的に説明する。
図１を参照して本実施形態に係る遊技機の概略構成について説明する。本実施形態では遊技機の一例としてパチンコ機を例示して説明するものとする。遊技機１は、外枠２と遊技盤３が設けられた内枠（図示せず）と、該内枠を覆う前面枠４を備えている。図示しない内枠はヒンジ５により外枠２に対して開閉可能に取り付けられている。また、前面枠４は内枠に対して開閉可能に取り付けられている（ヒンジ部図示せず）。前面枠４の中央部には遊技者が遊技盤３を透視できる窓部６が設けられている。該窓部６の周囲には図示しない装飾部やスピーカーなどが設けられる。また、遊技盤３の中央部には、センター枠３ａに囲まれて図柄表示装置（液晶表示装置）３ｂが設けられている。
【００１９】
また、前面枠４の下方には貸球や賞球を貯留し図示しない発射装置へ球を誘導する上球受け皿８ａ、その下方には上受け皿８ａの余剰球を貯留する下球受け皿８ｂ、下球受け皿８ｂの左側にタバコの吸殻を収容する灰皿９、下球受け皿８ｂの右側に遊技盤３に遊技球を打ち出すためのハンドル１０が各々設けられている。
【００２０】
遊技盤３には、センター枠３ａの上縁部に装飾部７ａを有するセンター役物７ｂ、図示しない釘、スルーチャッカー１１、風車１２、電動チューリップ１３、アタッカー１４、レール１５、サイドランプ１６などの盤面部品やアウトロ１７などが設けられている。
【００２１】
ここで、上記遊技機に用いられる発光装置の一例について、図２乃至図１２を参照して説明する。発光装置は、装飾部７ａやサイドランプ１６などの発光素子を備えた装飾部に広く用いられる。一例として、装飾部７ａの一部に組み付けられる装飾ケースに収納されて設けられる発光装置を例示して説明する。
【００２２】
図２及び図３において、単一のフレキシブル基板（ＦＰＣ）１８には、電子部品（発光素子，抵抗，ＩＣ等）が実装されるリング形状をした複数の部品実装部１８Ａ，１８Ｂと、該部品実装部１８Ａ，１８Ｂに給電する配線パターン２０が集約された基板端子部２１と、部品実装部１８Ａ，１８Ｂどうし若しくは部品実装部１８Ｂ（１８Ａ）と基板端子部２１を連結し、電子部品と電気的に接続する配線パターン２０が形成された連結部（後述する基板くびれ部２２）が一体に形成されている。連結部としては、例えば部品実装部１８Ａ，１８Ｂ又は基板端子部２１より幅狭となる基板くびれ部２２が形成されている。部品実装部１８Ａ，１８Ｂには発光素子（ＬＥＤ）１９が実装され、基板くびれ部２２で任意の角度に折り曲げて組み付けられる。発光素子（ＬＥＤ）１９は単色であってもフルカラーであってもいずれでもよい。
【００２３】
部品実装部１８Ａと部品実装部１８Ｂは、配線パターン２０が形成された基板くびれ部２２を介して形成され、該基板くびれ部２２を境界にして部品実装部１８Ａ、１８Ｂを任意の角度に折り曲げて組み付けられる。また、部品実装部１８Ｂには、基板くびれ部２２を介して基板端子部２１が連続して形成されている。基板端子部２１は部品実装部１８Ａと連続して形成されていてもよい。基板端子部２１は所定の長さを有し部品実装部１８Ａ，１８Ｂに対して幅狭な形状をしており、基板くびれ部２２を境界にして任意の角度に折り曲げて配線できる。
【００２４】
尚、部品実装部１８Ａ，１８Ｂの形状は、リング形状に限らず平板状であってもよいし、外形も円形に限らず多角形状や楕円形状など任意の形状を採用できる。また、図３において、フレキシブル基板１８は、基板くびれ部２２を境界にして繰り返し折り曲げて使用できるが、接続信頼性を維持するためには、当該基板くびれ部２２を通過する配線パターン２０の本数は可能な限り少ないほうが好ましい。
【００２５】
また、リング状の部品実装部１８Ａ，１８Ｂの外周部には位置決め用の凹部２３が複数箇所（本実施例では３箇所）に設けられている。また、部品実装部１８Ａ，１８Ｂどうしを重ね合わせた状態でねじ止めされるねじ孔（貫通孔）２４が基板くびれ部２２を中心とした対称位置に各々形成されている。
【００２６】
次に、フレキシブル基板１８を用いた発光ユニットの構成例について説明する。
図４において、フレキシブル基板１８を構成する部品実装部１８Ａと部品実装部１８Ｂは基板くびれ部２２で二つ折りにされ、部品実装部１８Ｂと基板端子部２１が例えば９０°に折り曲げられる。
部品実装部１８Ａと部品実装部１８Ｂの間には、リング形状の絶縁部材（絶縁板、絶縁シートを含む）２５が挿入されて重ね合わされる。絶縁部材２５は部品実装部１８Ａ，１８Ｂと同様にリング形状をしており、外周部に位置決め凹部２５ａ、基板側のねじ孔２４に対応するねじ孔２５ｂが設けられている。また、絶縁部材２５の外周部には、基板くびれ部２２を当接して折り曲げる面取り部２５ｃが形成されている。
【００２７】
また、絶縁部材２５を挟み込む部品実装部１８Ａ及び部品実装部１８Ｂの外側には折曲げ形状を保持する保持部材２６Ａ，２６Ｂが重ね合わせて組み付けられる。保持部材２６Ａ，２６Ｂは、部品実装部１８Ａ，１８Ｂと同様にリング形状をしており、外周部に位置決め凹部２７、基板側のねじ孔２４に対応するねじ孔２８が各々設けられている。また、保持部材２６Ａの内周側にはリブ２９ａが起立形成されており部品実装部１８Ａ，１８Ｂ、絶縁部材２５との位置ずれを防いでいる。保持部材２６Ｂの外周部には、部品実装部１８Ｂに対して９０度に折り曲げられた基板端子部２１を当接してガイドする面取り部３０が形成されている。また、保持部材２６Ａ，２６Ｂには、発光素子１９を露出させる露出孔（貫通孔）３１が各々周方向に形成されている。
【００２８】
図５において、部品実装部１８Ａと部品実装部１８Ｂは基板くびれ部２２を境界にして１８０度折り曲げられて絶縁部材２５を挟み込み、その両側を保持部材２６Ａ，２６Ｂにより挟み込まれて発光ユニットＵが形成される。このとき部品実装部１８Ａ，１８Ｂ、絶縁部材２５、保持部材２６Ａ，２６Ｂは、外周部に設けられた位置決め凹部どうし（２７，２３，２５ａ，２７）、ねじ孔どうし（２８，２４，２５ｂ，２４，２８）、露出孔３１と発光素子１９が互いに位置合わせされて重ね合わせられている。
【００２９】
図５のように形成された発光ユニットＵは、図６に示すケース体３２に一体に組み付けられる。発光ユニットＵは、ケース体３２の開口部に設けられた載置部に設けられ、内壁面に形成された凸部に位置決め凹部２７（２３，２５ａ省略）を位置合わせし、後述するボス部４３の端面に設けられたねじ孔３３にねじ孔２８（２４，２５ｂ省略）を位置合わせして載置される。基板端子部２１はケース体３２に設けられたスリット孔３４を通過してケース体３２の背面側に引き出される（図７参照）。そして、発光ユニットＵの上方からねじ３５をねじ孔２８，３３に挿入してケース体３２に固定される。
【００３０】
次いで図７において、ケース体３２の端面に設けられたねじ孔３６と蓋体３７の端面に設けられたねじ孔３８を位置合わせして、ケース体３２の背面側よりねじ３９をねじ孔３６，３８に嵌め込んで蓋体３７とケース体３２が一体に組み付けられる。蓋体３７とケース体３２により発光ユニットＵを収納する収納ケース４０が形成される（図８参照）。収納ケース４０は、光透過性樹脂材（ポリカーボネイト樹脂材、アクリル樹脂材など）が好適に用いられる。
【００３１】
図８は、ケース体３２の背面側に引き出された基板端子部２１が、背面側に設けられた中継基板４１に設けられたコネクタ４２に接続されるレイアウト構成を示す。このように、発光ユニットＵの発光素子実装部（部品実装部１８Ａ，１８Ｂ）にはコネクタ４２が存在しないので、発光面を広く確保することができ、かつフレキシブル基板１８も小型化、薄型化することができる。
【００３２】
図９は、ねじ止めされた発光ユニットＵの部分拡大断面図及び発光素子を含む部分拡大断面図である。ケース体３２に内には複数箇所にボス部４３が２箇所に設けられており、各ボス部４３の端面にはねじ孔３３が各々設けられている。発光ユニットＵは、ねじ孔２８，２４，２５ｂ，２４，２８，３３を通じてねじ３５が嵌め込まれてケース体３２に固定されている。また、部品実装部１８Ａに実装された発光素子１９はケース体３２側へ光照射し、部品実装部１８Ｂに実装された発光素子１９は蓋体３７へ光照射して収納ケース４０全体を発光させることができる。尚、収納ケース４０の内部空間には、例えばスピーカーや他の発光装置、あるいは盤面部品を組み付けることが可能である。
【００３３】
次に発光ユニットＵの他の構成について図１０乃至図１２を参照して説明する。
前述した実施態様と同一部材には同一番号を付して説明を援用するものとする。
上述した発光ユニットＵは、部品実装部１８Ａと部品実装部１８Ｂが基板くびれ部２２を境界に二つ折りされて絶縁部材２５を挟み込み、その両側を保持部材２６Ａ，２６Ｂにより挟み込まれたままの状態であった（図５参照）。
本実施例は、リング形状をした保持部材２６Ａの内周側に形成されるリブ２９ａに保持部材２６Ｂに向けて起立する係止爪４４が複数箇所（図１０では３箇所）に設けられている。また、リング形状をした保持部材２６Ｂの内周側にも周方向に連続するリブ２９ｂが形成され、該リブ２９ｂには係止爪４４が係止可能な切欠き部４５が形成されている。また、保持部材２６Ａにはねじ孔２８に代えてボス部４６が突設されている。このボス部４６はフレキシブル基板１８（部品実装部１８Ａ，１８Ｂ）、絶縁部材２５、保持部材２６Ｂの嵌合孔（ねじ孔２８）２４，２５ｂ，２８と嵌合して回り止めがなされる（図１２参照）。また、保持部材２６Ｂの外周面には突出部４７が複数箇所に設けられている。各突出部４７にはねじ孔４８が各々設けられている（図１１参照）。
【００３４】
部品実装部１８Ａと部品実装部１８Ｂの間には、リング形状の絶縁部材（絶縁板、絶縁シートを含む）２５が挿入されて重ね合わされる。また、絶縁部材２５を挟み込む部品実装部１８Ａ及び部品実装部１８Ｂの外側には折曲げ形状を保持する保持部材２６Ａ，２６Ｂが重ね合わせて組み付けられる。保持部材２６Ａと保持部材２６Ｂは、リブ２９ａをリブ２９ｂの内周側に嵌め合わせて係止爪４４が切欠き部４５に係止することで発光ユニットＵは一体に形成される（図１１参照）。
【００３５】
図１１において、発光ユニットＵは、部品実装部１８Ａと部品実装部１８Ｂを基板くびれ部２１を境界にして発光素子１９を外向きにして二つ折りして絶縁部材２５を介して重ね合わされ、各発光素子１９を保持部材２６Ａ，２６Ｂどうしで挟み込んだまま係止爪４４により互いに係止して形態が保持される。このため、図１２において発光ユニットＵはケース体３２及び蓋体３７のねじ孔３６，３８と突出部４７のねじ孔４８が位置合わせして挟み込まれ、ケース本体３２側よりねじ３９を嵌め込むことで収納ケース４０に一体に組み付けられる。
【００３６】
このように、発光ユニットＵは、フレキシブル基板１８を基板くびれ部２２を境界にして発光素子１９の実装面を外向きにして二つ折りしたまま絶縁部材２５を介して重ね合わされ、保持部材２６Ａ，２６Ｂに挟み込まれた形態を保持して取り扱えるため、収納ケース４０への組み付け性がよい。
図１２において、発光ユニットＵは、省スペースで発光面が基板両面に形成でき、発光素子１９が片面実装された単一のフレキシブル基板１８を用いて発光装置が製造できるので、回路基板の製造工程を削減することができる。
【００３７】
また、フレキシブル基板１８の他例について図１３及び図１４を参照して説明する。図１３において、複数の発光素子１９が基板実装された矩形状の単一のフレキシブル基板５２に両側からスリット５３が形成され、幅狭な基板くびれ部５４を境界として左右に部品実装部５２Ａ，５２Ｂが一体に形成されている。各部品実装部５２Ａ，５２Ｂには発光素子１９へ給電する配線パターンが形成され、配線パターンが集約された基板端子部５５が部品実装部５２Ｂに一体に形成されている。また、各部品実装部５２Ａ，５２Ｂには、ねじ止め可能なねじ孔５６が形成されている。
【００３８】
図１４において、フレキシブル基板５２は、例えば図１の前面枠４の装飾部に設けられる枠体５７のコーナー部５８に、基板くびれ部５４を沿わせて９０度に折り曲げ、その上からアングル材（保持部材）６０で発光素子１９を露出させてフレキシブル基板５２を押えた後、ねじ孔６１，５６を通じて枠体５７へねじ５９を嵌め込んで組み付けられる。これにより、部品実装部５２Ａ，５２Ｂに設けられた発光素子１９を点灯させて、遊技機正面側のみならず側面側も発光させることができ、装飾効果や演出効果を高めることができる。
尚、基板端子部５５は自由に折り曲げることができるので、枠体５７の隙間を引き回して図示しないコネクタと接続することができる。また、アングル材６０は、枠体５７に対してねじ止めするかわりにフックなどにより係止して組み付けるようにしてもよい。
【００３９】
次にフレキシブル基板１８のさらに他例について図１５及び図１６を参照して説明する。図１３及び図１４と同一部材には同一番号を付して説明を援用するものとする。
図１５において、矩形状の単一のフレキシブル基板５２の形態は図１３と同様である。しかしながら左右の部品実装部５２Ａ，５２Ｂに実装される電子部品の種類が異なっている。本実施例では一方の部品実装部５２Ａには発光素子１９が実装され、他方の部品実装部５２Ｂには、発光素子１９を点灯させる制御回路が組み込まれたＩＣ６２や抵抗６３が実装され、配線パターンと接続されている。部品実装部５２Ｂには、配線パターンが集約された基板端子部５５が一体に形成されている。また、各部品実装部５２Ａ，５２Ｂには、ねじ止め可能なねじ孔５６が形成されている。
【００４０】
図１６において、フレキシブル基板５２は、枠体５７のコーナー部５８に基板くびれ部５４を沿わせて９０°に折り曲げ、その上からアングル材（保持部材）６０で発光素子１９を露出させてフレキシブル基板５２を押えた後、ねじ孔６１，５６を通じて枠体５７へねじ５９を嵌め込んで組み付けるようにしてもよい。
このように、発光素子１９を実装した部品実装部５２Ａと発光素子１９以外の電子部品（抵抗、ＩＣ等）を実装する部品実装部５２Ｂが連結部５４を境界にして折り曲げられて組み付けられるので、発光素子実装部の設置スペースを減らすことができる。尚、アングル材６０は、枠体５７に対してねじ止めするかわりにフックなどにより係止して組み付けるようにしてもよい。
【００４１】
上記発明実施の態様では遊技機の一例としてパチンコ遊技機について説明したが、他に例えばアレンジボール遊技機、パチスロ遊技機、雀球遊技機等の他の遊技機にも適用できる。
【図面の簡単な説明】
【００４２】
【図１】遊技機の正面図である。
【図２】フレキシブル基板の外形を示す平面図である。
【図３】図２の基板の配線パターンの一例を示す部分破断図である。
【図４】発光ユニットの分解斜視図である。
【図５】発光ユニットの斜視図である。
【図６】発光ユニットのケース体への組み付けを示す分解斜視図である。
【図７】収納ケースの組立てを示す分解斜視図である。
【図８】収納ケースからの基板端子部の引きまわしを説明する透視図である。
【図９】収納ケースの断面図及び部分拡大断面図である。
【図１０】他例に係る発光ユニットの分解斜視図である。
【図１１】他例に係る発光ユニットの斜視図である。
【図１２】他例に係る収納ケースの断面図及び部分拡大断面図である。
【図１３】他例に係るフレキシブル基板の平面図である。
【図１４】図１３の基板の組み付け状態を示す断面図である。
【図１５】他例に係るフレキシブル基板の平面図である。
【図１６】図１５の基板の組み付け状態を示す断面図である。
【符号の説明】
【００４３】
１  遊技機  
２  外枠  
３  遊技盤  
３ａ  センター枠
３ｂ  図柄表示装置
４  前面枠  
５  ヒンジ  
６  窓部  
７ａ  装飾部  
７ｂ  センター役物
８ａ  上受け皿  
８ｂ  下受け皿  
９  灰皿  
１０  ハンドル  
１１  スルーチャッカー  
１２  風車  
１３  電動チューリップ  
１４  アタッカー  
１５  レール  
１６  サイドランプ  
１７  アウトロ  
１８，５２  フレキシブル基板  
１９  発光素子  
２０  配線パターン  
２１，５５  基板端子部  
２２，５４  基板くびれ部  
２３，２５ａ，２７  位置決め凹部  
２４，２５ｂ，２８，３３，３６，３８，４８，５６、６１  ねじ孔  
２５  絶縁部材  
２５ｃ，３０  面取り部  
２６Ａ，２６Ｂ  保持部材  
２９ａ，２９ｂ  リブ  
３１  露出孔  
３２  ケース体  
３４  スリット孔  
３５，３９，５９  ねじ  
３７  蓋体  
４０  収納ケース  
４１  中継基板  
４２  コネクタ  
４４  係止爪  
４５  切欠き部  
４３，４６  ボス部  
４７  突出部  
５３  スリット  
５７  枠体  
５８  コーナー部  
６０  アングル材
６２  ＩＣ
６３  抵抗
【図１】
2009183321.tif 000003
【図２】
2009183321.tif 000004
【図３】
2009183321.tif 000005
【図４】
2009183321.tif 000006
【図５】
2009183321.tif 000007
【図６】
2009183321.tif 000008
【図７】
2009183321.tif 000009
【図８】
2009183321.tif 000010
【図９】
2009183321.tif 000011
【図１０】
2009183321.tif 000012
【図１１】
2009183321.tif 000013
【図１２】
2009183321.tif 000014
【図１３】
2009183321.tif 000015
【図１４】
2009183321.tif 000016
【図１５】
2009183321.tif 000017
【図１６】
2009183321.tif 000018